Podtech/llm-jp-corpus-v4-ja_patent huggingface dataset:
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
リチオ化及び脱リチオ化を受けることが可能であり、式ＳｉｘＦｅｙＣｚ（式中、ｘ、ｙ、及びｚは、原子％値を表し、
ａ）ｘ＞２ｙ＋ｚ、且つ
ｂ）ｘ、ｙ、及びｚはそれぞれ０より大きい）
で表されるケイ素合金と、
黒鉛状炭素と、
結合剤と、
カーボンナノチューブを含む導電性添加剤と、を含む、電極組成物。
【請求項２】
前記組成物が、０．２重量％〜１０重量％のカーボンナノチューブを含む、請求項１に記載の組成物。
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
接触気相酸化により、アクロレインを製造する方法であって、この方法は、次の工程：
ａ）プロピレンおよび分子状酸素を含有する反応ガスを準備する工程、および
ｂ）前記反応ガスを、酸化触媒と接触させてアクロレイン含有ガス混合物を形成させる工程、その際、前記酸化触媒は、モリブデン、バナジウムおよびタングステンから選択された１つ以上の基本成分を含有するかまたは前記基本成分からなる混合酸化物触媒である、前記方法において、
準備された反応ガス中に任意の硫黄成分の形の１０質量ｐｐｍを上回る硫黄が含有されており、その際に、いかなる場合でも、準備された反応ガス中には任意の硫黄成分の形の５０００質量ｐｐｍ以下の硫黄と、Ｃ2Ｈ4、Ｃ3Ｈ4、Ｃ4Ｈ8、Ｃ4Ｈ6、Ｃ5Ｈ10、Ｃ5Ｈ8およびこれらの混合物からなる群から選択された５０００質量ｐｐｍ以下の不飽和炭化水素が含有されていることを特徴とする、前記方法。
【請求項２】
前記の準備された反応ガス中には、Ｃ2Ｈ4、Ｃ4Ｈ8、Ｃ3Ｈ4、Ｃ4Ｈ6、Ｃ5Ｈ10、Ｃ5Ｈ8およびこれらの混合物からなる群から選択された、５０質量ｐｐｍを上回る不飽和炭化水素が含有されていることを特徴とする、請求項１記載の方法。
【請求項３】
前記の準備された反応ガス中には、任意の硫黄成分の形の２０質量ｐｐｍを上回り、かつ、１０００質量ｐｐｍ以下の硫黄が含有されていることを特徴とする、請求項１または２記載の方法。
【請求項４】
前記の準備された反応ガス中には、Ｈ2Ｓおよび／またはＳＯ2の形の２０質量ｐｐｍを上回る硫黄が含有されており、かつ、任意の硫黄成分の形の１０００質量ｐｐｍ以下の硫黄が含有されていることを特徴とする、請求項１から３までのいずれか１項に記載の方法。
【請求項５】
前記の準備された反応ガス中には、１００質量ｐｐｍを上回り、かつ、１５００質量ｐｐｍ以下の、Ｃ2Ｈ4、Ｃ3Ｈ4、Ｃ4Ｈ8、Ｃ4Ｈ6、Ｃ5Ｈ10、Ｃ5Ｈ8およびこれらの混合物からなる群から選択された不飽和炭化水素が含有されていることを特徴とする、請求項１から４までのいずれか１項に記載の方法。
【請求項６】
前記の準備された反応ガス中には、１５０質量ｐｐｍを上回り、かつ、１３００質量ｐｐｍ以下の、Ｃ2Ｈ4、Ｃ3Ｈ4、Ｃ4Ｈ8、Ｃ4Ｈ6、Ｃ5Ｈ10、Ｃ5Ｈ8およびこれらの混合物からなる群から選択された不飽和炭化水素が含有されていることを特徴とする、請求項１から５までのいずれか１項に記載の方法。
【請求項７】
前記の混合酸化物触媒は、さらに、ビスマス、アンチモン、テルル、錫、鉄、コバルト、ニッケルおよび銅から選択された、１つ以上の添加剤成分を含有することを特徴とする、請求項１から６までのいずれか１項に記載の方法。
【請求項８】
前記の酸化触媒は、一般式（Ｉ）の混合酸化物触媒または一般式（Ｉ）の異なる混合酸化物触媒の混合物であり、その際に、
（Ｍｏ12ＢｉaＣb（Ｃｏ＋Ｎｉ）cＤdＥeＦfＧgＨh）Ｏx    （Ｉ）、
Ｃ＝鉄、
Ｄ＝Ｗ、Ｐからの元素の少なくとも１つ、
Ｅ＝Ｌｉ、Ｋ、Ｎａ、Ｒｂ、Ｃｓ、Ｍｇ、Ｃａ、Ｂａ、Ｓｒからの元素の少なくとも１つ、
Ｆ＝Ｃｅ、Ｍｎ、Ｃｒ、Ｖからの元素の少なくとも１つ、
Ｇ＝Ｎｂ、Ｓｅ、Ｔｅ、Ｓｍ、Ｇｄ、Ｌａ、Ｙ、Ｐｄ、Ｐｔ、Ｒｕ、Ａｇ、Ａｕからの元素の少なくとも１つ、
Ｈ＝Ｓｉ、Ａｌ、Ｔｉ、Ｚｒからの元素の少なくとも１つ、
ａ＝０〜５．０、
ｂ＝０．５〜５．０、
ｃ＝２〜１５、
ｄ＝０．０１〜５．０、
ｅ＝０．００１〜２、
ｆ＝０．００１〜５、
ｇ＝０〜１．５、
ｈ＝０〜８００、
ｘ＝酸素とは異なる元素の原子価および頻度によって定められる数
を示すことを特徴とする、請求項７記載の方法。
【請求項９】
前記の準備された反応ガスが少なくとも“リファイナリーグレード”プロピレンと空気とを混合することによって製造され、その際に、“リファイナリーグレード”プロピレンは、エタンを０．０５〜２．０質量％含有するか、および／またはプロパンを９〜４０質量％含有することによって特徴付けられている、請求項１から８までのいずれか１項に記載の方法。
【請求項１０】
アクロレインを製造するための反応ガスの使用において、前記反応ガスが任意の硫黄成分の形の１０質量ｐｐｍを上回る硫黄を含有し、その際に、いかなる場合でも、前記反応ガスは、任意の硫黄成分の形の５０００質量ｐｐｍ以下の硫黄と、Ｃ2Ｈ4、Ｃ3Ｈ4、Ｃ4Ｈ8、Ｃ4Ｈ6、Ｃ5Ｈ10、Ｃ5Ｈ8およびこれらの混合物からなる群から選択された、５０００質量ｐｐｍ以下の不飽和炭化水素を含有することを特徴とする、前記使用。
【請求項１１】
前記反応ガスは、Ｃ2Ｈ4、Ｃ3Ｈ4、Ｃ4Ｈ8、Ｃ4Ｈ6、Ｃ5Ｈ10、Ｃ5Ｈ8およびこれらの混合物からなる群から選択された、５０質量ｐｐｍを上回る不飽和炭化水素を含有する、請求項１０記載の使用。
【請求項１２】
アクリル酸を製造するための、請求項１から９までのいずれか１項に記載の方法により製造されたアクロレイン含有ガス混合物の使用。
【請求項１３】
前記アクロレイン含有ガス混合物をさらなる分子状酸素と混合し、かつ酸化触媒と接触させてアクリル酸含有ガス混合物を形成させる、請求項１２記載の使用。
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2016520641.tif 000001
（式中、Ｒは、メチル基およびエチル基から選択される）、
そのヒドロキシ酸形態、前記ヒドロキシ酸の薬学的に許容され得る塩、ならびに前記化合物およびそのヒドロキシ酸形態の薬学的に許容され得るプロドラッグおよび溶媒和物。
【請求項２】
Ｒがメチルである、請求項１に記載の式（Ｉ）の化合物。
【請求項３】
Ｒがエチルである、請求項１に記載の式（Ｉ）の化合物。
【請求項４】
請求項１〜３のいずれかに記載の式（Ｉ）の化合物、および／またはそのヒドロキシ酸形態、および／または前記ヒドロキシ酸の薬学的に許容され得る塩、および／または該化合物もしくはそのヒドロキシ酸形態の薬学的に許容され得るプロドラッグもしくは溶媒和物と、少なくとも１つの薬学的に許容され得るアジュバント、担体および／またはビヒクルとを含んでなる、医薬組成物。
【請求項５】
請求項１〜３のいずれかに記載の式（Ｉ）の化合物、そのヒドロキシ酸形態、または前記ヒドロキシ酸の薬学的に許容され得る塩、および／または該化合物もしくはそのヒドロキシ酸形態の薬学的に許容され得るプロドラッグもしくは溶媒和物の医薬品としての使用。
【請求項６】
ａ．神経変性疾患および／または神経系疾患、
ｂ．認知機能障害、
ｃ．炎症または炎症プロセス、ならびに
ｄ．癲癇、癲癇発作および痙攣
の予防および／または治療に用いられる、請求項４に記載の医薬組成物。
【請求項７】
神経変性疾患が、アルツハイマー病、ハンチントン病、パーキンソン病、筋萎縮性側索硬化症（ＡＬＳ）または多発性硬化症、クロイツフェルト・ヤコブ病、フリードライヒ失調症、レビー小体型認知症、脊髄性筋萎縮症、海綿状脳症、デビック病、ギラン・バレー症候群、カナバン病、脊椎症、ラフォラ病、ダウン症候群およびコルサコフ症候群を含む群から選択される、請求項６に記載の医薬組成物。
【請求項８】
炎症または炎症プロセスが、関節炎、関節症、アテローム性動脈硬化症、多発性硬化症、炎症性腸疾患（例えば、クローン病、潰瘍性大腸炎）、アレルギー、喘息、湿疹、乾癬、アトピー性皮膚炎、癌、座瘡、膀胱炎、術後炎症、歯性炎症、炎症性眼疾患、移植片対宿主病、過敏症を含む群から選択される、請求項６に記載の医薬組成物。
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
安定なＧｃマクロファージ活性化因子（ＧｃＭＡＦ）またはその生物学的に活性のある変異体もしくは断片と、界面活性剤および表面活性を有する合成水溶性ポリマーからなる群から選択される少なくとも１種の薬学的に許容される賦形剤と、を含む医薬組成物。
【請求項２】
前記安定なＧｃＭＡＦが、アミノ酸残基に結合したＮ−アセチルガラクトサミン基を有し、
前記ＧｃＭＡＦが、ヒトＧｃＭＡＦおよび動物のＧｃＭＡＦからなる群から選択される、
請求項１に記載の医薬組成物。
【請求項３】
前記安定なＧｃＭＡＦが、アミノ酸残基に結合したＮ−アセチルガラクトサミン基を有するヒトＧｃＭＡＦであるか、または
前記安定なＧｃＭＡＦが、配列番号１〜３のいずれか１つに記載のアミノ酸配列を含むか、または
前記安定な断片が、Ｇｃタンパク質のアミノ酸４００〜４３５に相当するアミノ酸配列を含むか、または
前記安定な断片が、配列番号４または配列番号５に記載のアミノ酸配列からなる、
請求項１に記載の医薬組成物。
【請求項４】
前記安定なＧｃＭＡＦが、約１００ｎｇ／ｍｌ〜約１ｍｇ／ｍｌの範囲の濃度で存在するか、または
前記安定なＧｃＭＡＦが、約１００ｎｇ／ｍｌ〜約３００μｇ／ｍｌの範囲の濃度で存在するか、または
前記安定なＧｃＭＡＦが、約２００ｎｇ／ｍｌ〜約３０μｇ／ｍｌの範囲の濃度で存在する、
請求項１に記載の医薬組成物。
【請求項５】
前記界面活性剤が、非イオン性界面活性剤、陰イオン界面活性剤、陽イオン界面活性剤、両性界面活性剤、および両性イオン性界面活性剤からなる群から選択される、請求項１に記載の医薬組成物。
【請求項６】
前記非イオン性界面活性剤が、ソルビタン脂肪酸エステル類、ポリオキシソルビタン脂肪酸エステル類、ポリオキシアルキレン高級アルコールエーテル類、およびポリオキシアルキレン高級アルコールエステル類からなる群から選択されるか、または
前記非イオン性界面活性剤が、ポリオキシエチレンソルビトールエステル類、ポリオキシエチレンイソオクチルフェニルエーテル類、ポリオキシエチレンノニルフェニルエーテル類、ポリオキシエチレンドデシルエーテル類、オクチルグルコシド、およびアルキルマルトシドからなる群から選択されるか、または
前記非イオン性界面活性剤が、ポリソルベート８０（ＴＷＥＥＮ（登録商標）８０）、ポリソルベート６０（ＴＷＥＥＮ（登録商標）６０）、ポリソルベート２０（ＴＷＥＥＮ（登録商標）２０）、Ｎ−ドデシル−β−Ｄ−マルトシド、トリトンＸ−１００、ブリジ５８、およびポロキサマー１８８からなる群から選択されるか、または
前記非イオン性界面活性剤が、ポリソルベート８０（ＴＷＥＥＮ（登録商標）８０）である、
請求項５に記載の医薬組成物。
【請求項７】
表面活性を有する前記合成水溶性ポリマーが、ポリビニルアルコール、ポリプロピレンオキシド／エチレンオキシドブロックコポリマー、エチレングリコール／プロピレングリコールのコポリマー、ポリ−１，３−ジオキソラン、ポリ−１，３，６−トリオキサン、エチレン／無水マレイン酸コポリマー、プロピレングリコールホモポリマー、およびポリオキシエチル化ポリオールからなる群から選択される、請求項１に記載の医薬組成物。
【請求項８】
等張化剤、緩衝剤、またはそれらの組み合わせをさらに含む、請求項１に記載の医薬組成物。
【請求項９】
前記等張化剤が塩化ナトリウムであるか、または
前記緩衝剤が、リン酸緩衝液、酢酸緩衝液、トリス緩衝液、およびクエン酸緩衝液からなる群から選択される、
請求項８に記載の医薬組成物。
【請求項１０】
薬学的に許容される担体または希釈剤をさらに含むか、または
溶液、懸濁液、乳濁液、粉末、錠剤、およびカプセル剤からなる群から選択される形態に製剤化されているか、または
水溶液の形態に製剤化されているか、または
ＧｃＭＡＦ、ポリソルベート８０、塩化ナトリウム、リン酸緩衝液、および水を含み、組成物のｐＨが約５〜約８の範囲であり、ＧｃＭＡＦの濃度が約１００ｎｇ／ｍｌ〜１ｍｇ／ｍｌの範囲である、
請求項１に記載の医薬組成物。
【請求項１１】
マクロファージ活性化に関連する疾患または障害の治療に使用するための、請求項１〜１０のいずれか一項に記載の医薬組成物。
【請求項１２】
マクロファージ活性化に関連する疾患または障害が、癌、ウイルス性疾患、細菌感染症、自己免疫疾患、自閉症、および慢性疲労症候群からなる群から選択される、請求項１１に記載の医薬組成物。
【請求項１３】
非経口経路による投与に適している、請求項１１に記載の医薬組成物。
【請求項１４】
静脈内注射、筋肉内注射または皮下注射に適している、請求項１３に記載の医薬組成物。
【請求項１５】
前記癌が、肉腫、癌腫、線維肉腫、粘液肉腫、脂肪肉腫、軟骨肉腫、骨肉腫、脊索腫、血管肉腫、内皮肉腫、リンパ管肉腫、リンパ管内皮種（ｌｙｍｐｈａｎｇｉｏｅｎｄｏｔｈｅｌｉｏｓａｒｃｏｍａ）、悪性滑膜腫、中皮腫、ユーイング腫瘍、平滑筋肉腫、横紋筋肉腫、結腸癌、膵臓癌、乳癌、卵巣癌、前立腺癌、扁平上皮癌、基底細胞癌、腺癌、汗腺癌、皮脂腺癌、乳頭癌、乳頭腺癌、嚢胞腺癌、髄様癌、気管支癌、腎細胞癌、肝臓癌、胆管癌、絨毛癌、セミノーマ、胎生期癌、ウィルムス腫瘍、子宮頸癌、精巣腫瘍、肺癌、小細胞肺癌、膀胱癌、上皮癌、神経膠腫、星状細胞腫、髄芽腫、頭蓋咽頭腫、上衣腫、カポジ肉腫、松果体腫、血管芽細胞腫、乏突起神経膠腫、黒色腫、神経芽細胞腫および網膜芽腫からなる群から選択される固形腫瘍である、請求項１２に記載の医薬組成物。
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
哺乳類患者のがんの治療で用いるための、少なくとも１つの化学療法物質又は細胞毒性物質を含む製剤であって、前記治療が、少なくとも以下の工程を含むことを特徴とする製剤：
−腫瘍組織に、実質的に細胞毒性のない放射線量を送る工程であって、前記放射線量は、前記腫瘍組織の供給部分の少なくとも１つの境界壁構造に、傷を含む少なくとも１つの微視的損傷部位を生み出すように適合されており、前記供給部分は血管である工程；
−前記放射線量を送った後、前記化学療法物質又は細胞毒性物質及び／又はその代謝性誘導体が、前記少なくとも１つの微視的損傷部位が内因性組織修復によって完全に治癒される前に前記少なくとも１つの微視的損傷部位に達するように、前記製剤を患者に投与する工程。
【請求項２】
哺乳類患者の脳腫瘍又は肺腫瘍の治療に用いるための、請求項１に記載の製剤。
【請求項３】
膠芽腫の治療に用いるための、請求項２に記載の製剤。
【請求項４】
前記化学療法物質又は細胞毒性物質が、白金含有抗ガン剤であることを特徴とする、請求項１〜３のいずれかに記載の製剤。
【請求項５】
前記化学療法物質又は細胞毒性物質が、カルボプラチン、オキサリプラチン又はシスプラチンの群から選択されることを特徴とする、請求項４に記載の製剤。
【請求項６】
抗腫瘍性アルキル化剤を含むことを特徴とする、請求項１に記載の製剤。
【請求項７】
アルキル化剤であるダカルバジンの誘導体を含むことを特徴とする、請求項１に記載の製剤。
【請求項８】
前記アルキル化剤であるダカルバジンのイミダゾテトラジン誘導体を含むことを特徴とする、請求項７に記載の製剤。
【請求項９】
前記化学療法物質又は細胞毒性物質が、テモゾロミドを含む又はテモゾロミドであることを特徴とする、請求項１に記載の製剤。
【請求項１０】
前記放射線量が、前記組織の前記供給部分の前記少なくとも１つの境界壁構造に微視的損傷部位を生み出すように適合される、微視的横断面の複数のビームを含み、及び／又は
前記放射線量が複数のビームを含み、ビームの横断面が、前記組織内部又は前記組織表面上の少なくとも１つの仮想平面に少なくとも１つのアレイ又はファンを形成し、前記横断面のそれぞれが前記平面上で互いから離れていることを特徴とする、請求項１〜９のいずれかに記載の製剤。
【請求項１１】
前記放射線量は、少なくとも１つの粒子ビーム、及び／又は、少なくとも１つの光ビームを含むことを特徴とする、請求項１〜１０のいずれかに記載の製剤。
【請求項１２】
前記放射線量は、少なくとも１つの粒子ビーム、及び／又は、Ｘ線、紫外線及び／又は可視光線及び／又は赤外線、又はその組み合わせのスペクトル領域を有する、少なくとも１つの光ビームを含むことを特徴とする、請求項１〜１１のいずれかに記載の製剤。
【請求項１３】
前記放射線は、シンクロトロン放射源によって提供されることを特徴とする、請求項１〜１２のいずれかに記載の製剤。
【請求項１４】
投与後、前記投与された化学療法物質又は細胞毒性物質が、主に、前記組織の前記供給部分から前記組織の供給される部分へと、前記組織の境界壁構造に形成される前記少なくとも１つの微視的損傷部位を介して拡散することにより、前記組織の前記供給される部分へと透過横断することを特徴とする、請求項１〜１３のいずれかに記載の製剤。
【請求項１５】
局所的静脈内投与により患者に投与されることを特徴とする、請求項１〜１４のいずれかに記載の製剤。
【請求項１６】
放射後４０〜３００分の間に、患者に投与されることを特徴とする、請求項１〜１５のいずれかに記載の製剤。
【請求項１７】
前記放射線量の送出中、マイクロビームの合計による総ビーム暴露が、３０秒未満であることを特徴とする、請求項１〜１６のいずれかに記載の製剤。
【請求項１８】
前記放射線量の送出における単マイクロビームパルスが、１秒未満の幅を有することを特徴とする、請求項１０に記載の製剤。
【請求項１９】
前記放射線量が、微視的横断面の高度に平行なビームのアレイにコリメートされた短パルス放射線を含む、請求項１〜１８のいずれかに記載の製剤。
【請求項２０】
前記放射線量の送出におけるマイクロビームの合計によって送られる総エネルギーが、１００〜４０００グレイの区間に対応することを特徴とする、請求項１０〜１９のいずれかに記載の製剤。
【請求項２１】
前記放射線量の送出におけるマイクロビームの合計によって送られる総エネルギーが、１５０〜２０００グレイの区間に対応することを特徴とする、請求項２０に記載の製剤。
【請求項２２】
前記放射線量の送出におけるマイクロビームの合計によって送られる総エネルギーが、１９０〜３１０グレイの区間に対応することを特徴とする、請求項２０に記載の製剤。
【請求項２３】
前記放射線量の送出において、前記マイクロビームは、１００〜４００マイクロメートルのビーム間距離だけ間隔のあいた平行な軸を有することを特徴とする、請求項１０〜２２のいずれかに記載の製剤。
【請求項２４】
前記放射線量の送出において、前記マイクロビームは、１５０〜２５０マイクロメートルのビーム間距離だけ間隔のあいた平行な軸を有することを特徴とする、請求項２３に記載の製剤。
【請求項２５】
前記放射線量の送出において、３３〜６００ｋｅＶのスペクトル領域が用いられることを特徴とする、請求項１〜２４のいずれかに記載の製剤。
【請求項２６】
前記放射線量の送出において、単マイクロビームの開口幅が、１０〜１００マイクロメートルの範囲にあることを特徴とする、請求項１０〜２５のいずれかに記載の製剤。
【請求項２７】
治療効果のある放射線量により腫瘍組織の供給部分の境界壁構造において照射された哺乳類患者の腫瘍組織の治療に用いるための、少なくとも１つの化学療法物質又は細胞毒性物質を含む製剤。
【請求項２８】
前記照射される腫瘍組織が、実質的に細胞毒性のない放射線量を送ることによって生じる前記腫瘍組織の血管の少なくとも１つの境界壁構造内の、傷を含む少なくとも１つの微視的損傷部位を含み、該少なくとも１つの微視的損傷部位が治療時に内因的組織修復によってまだ完全には治癒されていないことを特徴とする、哺乳類患者の照射腫瘍組織の治療に用いるための、請求項２７に記載の製剤。
【請求項２９】
脳腫瘍又は肺腫瘍の、照射腫瘍組織の治療に用いるための請求項２７に記載の製剤。
【請求項３０】
膠芽腫の照射腫瘍組織の治療に用いるための請求項２９に記載の製剤。
【請求項３１】
前記照射腫瘍組織が、微視的横断面の複数のビームを含む放射線量によってもたらされる少なくとも１つの微視的欠陥を含み、及び／又は、前記放射線量が複数のビームを含み、ビームの横断面が、前記組織内部又は前記組織表面上の少なくとも１つの仮想平面に少なくとも１つのアレイ又はファンを形成し、前記横断面のそれぞれが前記平面上で互いから離れている、照射腫瘍組織の治療に用いるための請求項２７〜３０のいずれかに記載の製剤。
【請求項３２】
前記放射線は、シンクロトロン放射源によって提供されることを特徴とする、照射腫瘍組織の治療に用いるための請求項３１に記載の製剤。
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
ホウ素化合物によってさらに架橋される、少なくとも１つの共有結合的に架橋されたシロキサニルポリマークラスターを含み、ここでホウ素の濃度が０．００５〜０．１６０重量％であることを特徴とする、ポリマー組成物であって、
前記ポリマー組成物は、変形した場合、その元の形状に戻らないポリマー組成物。
【請求項２】
前記クラスターが、少なくとも１つの直鎖または分岐鎖シロキサニルポリマーを含み、ここで、架橋して前記クラスターを形成する前に、前記ポリマーが、１分子あたり平均して１を超えるヒドロキシル基、好ましくは少なくとも２つのヒドロキシル基、例えば少なくとも３つのヒドロキシル基を含むことを特徴とする、請求項１に記載の組成物。
【請求項３】
前記クラスターが、少なくとも１つのシロキシ含有化合物と共有結合的に架橋された少なくとも１つのシロキサニルポリマーを含む請求項１または２に記載の組成物。
【請求項４】
共有結合架橋前に、前記シロキサニルポリマーが、以下の構造：
【化５】
2016520690.tif 000001
（式中、ｎは、整数であり、好ましくは３０〜１０００、さらに好ましくは４０〜６５０、とりわけ約５０〜約５００であり；
Ｒ1〜Ｒ8の各々は、同じかまたは異なっていてもよく、水素、メチル、エチル、プロピル、ブチル、フェニル、ビニルおよびヒドロキシル、好ましくは水素、メチル、ビニルおよびヒドロキシル、とりわけメチルおよびヒドロキシルからなる群から独立に選択され；そして
Ｒ1〜Ｒ8の少なくとも１つが、ヒドロキシルであり、好ましくは少なくとも２つがヒドロキシルであり、
Ｒ1、Ｒ2、Ｒ3、Ｒ6、Ｒ7およびＲ8の少なくとも一つがヒドロキシルである）を有する請求項２または３に記載の組成物。
【請求項５】
前記シロキサニルポリマーが、ポリジフェニルシロキサン、ポリジブチルシロキサン、ポリジプロピルシロキサン、ポリジブチルシロキサン、ポリジエチルシロキサン、ポリジメチルシロキサン、およびそれらのヒドロキシ官能化化合物からなる群から選択され、好ましくはポリジメチルシロキサンおよびそのヒドロキシ官能化化合物からなる群から選択される請求項２〜４のいずれか一項に記載の組成物。
【請求項６】
前記シロキシ含有化合物が、アセトキシシラン、オキシモシラン、アルコキシシラン、イソプロペンオキシシラン、アミドシラン、アミノシラン、アミノキシシラン、およびこれらの基のうちの少なくとも１つで官能化されたシロキサニルポリマーからなる群、好ましくはアセトキシシラン、アルコキシシラン、アセトキシ官能化シロキサニルポリマーおよびアルコキシ官能化シロキサニルポリマーからなる群から、とりわけテトラアセトキシシラン、トリアセトキシメチルシラン、トリアセトキシエチルシラン、テトラエチルシリケート、アセトキシ官能化ポリジメチルシロキサンおよびアルコキシ官能化ポリジメチルシロキサンからなる群から、選択される請求項３〜５のいずれか一項に記載の組成物。
【請求項７】
前記ホウ素化合物が、ホウ酸トリエチル、三酸化二ホウ素、七酸化四ホウ酸二ナトリウム、四ホウ酸二ナトリウムおよびホウ酸から選択される請求項１〜６のいずれか一項に記載の組成物。
【請求項８】
ホウ素の濃度が、０．１２重量％未満、好ましくは０．０３重量％未満、さらに好ましくは０．０１７重量％未満であり、例えば０．００５〜０．１１重量％、好ましくは０．０１０〜０．０１６重量％である請求項１〜７のいずれか一項に記載の組成物。
【請求項９】
少なくとも２種のシロキサニルポリマーを含み、その各々が少なくとも１種のシロキシ含有化合物と共有結合的に架橋される請求項１〜８のいずれか一項に記載の組成物。
【請求項１０】
２０〜８０のショアＯＯ硬度を有する請求項１〜９のいずれか一項いずれかに記載の組成物。
【請求項１１】
請求項１〜１０のいずれか一項に記載のポリマー組成物を少なくとも２体積％および粒子材料または顆粒材料を、少なくとも１体積％を含む複合材料。
【請求項１２】
粒子材料または顆粒材料を、１〜７５体積％、好ましくは５〜４９体積％含み、前記粒子材料または顆粒材料が、ホウケイ酸塩ガラスビーズ、砂、粉砕大理石、ポリマー顆粒またはポリマーボール、セノスフェア、プラスチック、セラミックまたはガラスのマイクロスフェア、あるいはこれらの材料の混合物からなる群から好ましくは選択される請求項１１に記載の複合材料。
【請求項１３】
０．００５〜０．１６０重量％のホウ素濃度を有する、請求項１〜１２のいずれかに記載のポリマー組成物または複合材料を製造するプロセスであって：
（ｉ）少なくとも１種のシロキサニルポリマーを、シロキシ含有架橋剤と反応させて共有結合架橋を形成するステップと；
（ｉｉ）前記共有結合的に架橋されたポリマーをホウ素化合物と反応させるステップと；任意に
（ｉｉｉ）粒子材料を加えるステップと
を含むプロセス。
【請求項１４】
０．００５〜０．１６０重量％のホウ素濃度を有する、請求項１１または１２に記載の複合材料を製造するプロセスであって：
（ｉ）１分子あたり平均して少なくとも１つのＯＨ基を含む少なくとも１種のシロキサニルポリマーを、シロキシ含有架橋剤と、好ましくは５分〜５時間の間、反応させて共有結合架橋を形成するステップと；
（ｉｉ）ホウケイ酸塩粒子材料を加えるステップと；
（ｉｉｉ）前記混合物のｐＨを調整するステップと
を含むプロセス。
【請求項１５】
ステップ（ｉｉｉ）において、前記ｐＨを、酸を使用して、好ましくはカルボン酸およびＨＣｌから選択される酸を使用して、最も好ましくＨＣｌを使用して調整する請求項１４に記載のプロセス。
【請求項１６】
ステップ（ｉ）を、２０〜２００℃、好ましくは２０〜１５０℃、例えば１３０℃、さらに好ましくは２０〜１００℃、例えば６０〜９０℃の温度で行う請求項１３〜１５のいずれか一項に記載のプロセス。
【請求項１７】
ステップ（ｉ）が、すべてのヒドロキシル基が消費される前に終了される縮合反応である請求項１３〜１６のいずれか一項に記載のプロセス。
【請求項１８】
ステップ（ｉ）におけるシロキシ含有架橋剤対シロキサニルポリマーのモル比が、０．７：１〜１．３０：１、好ましくは０．８：１〜１．２：１、例えば０．９：１〜１．１：１、とりわけ約１：１のシロキシ含有架橋剤：シロキサニルポリマーのモル比に対応する請求項１３〜１７のいずれか一項に記載のプロセス。
【請求項１９】
前記シロキシ含有架橋剤が三官能であり、且つ／または前記シロキサニルポリマーがＯＨでエンドキャップされている請求項１３〜１８のいずれか一項に記載のプロセス。
【請求項２０】
前記シロキサニルポリマーが、１分子あたり少なくとも１つの加水分解性基、好ましくはアミド基およびエステル基から選択される基を含む請求項１３〜１９のいずれかに記載のプロセス。
【請求項２１】
ステップ（ｉｉ）を、５〜２００℃、好ましくは１０〜１５０℃、さらに好ましくは２０〜８０℃、例えば約５０℃の温度で行う請求項１３および１６〜２０のいずれか一項に記載のプロセス。
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
シール材であって、
２０〜７０重量％のアクリルゴム成分と、
１０〜５０重量％のレオロジーフィラー成分と、
５〜４０重量％の粘着付与剤成分と、
５〜３０重量％の可塑剤成分と、
０．５〜５重量％の酸化防止剤成分と、
２０重量％以下の誘電性フィラー成分と、
１．１０〜２０重量％以下のフッ素化熱可塑性成分と、を含む、シール材。
【請求項２】
前記アクリルゴム成分中に架橋モノマーを更に含む、請求項１に記載のシール材。
【請求項３】
２５〜４０重量％のアクリルゴム成分と、
１５〜４０重量％のレオロジーフィラー成分と、
１０〜３０重量％の粘着付与剤成分と、
１０〜２０重量％の可塑剤成分と、
０．５〜１重量％の酸化防止剤成分と、
１０重量％以下の誘電性フィラー成分と、
１．１０〜５重量％以下のフッ素化熱可塑性成分と、を含む、請求項１に記載のシール材。
【誤訳訂正書】
【提出日】平成29年2月24日(2017.2.24)
【誤訳訂正１】
【訂正対象書類名】特許請求の範囲
【訂正対象項目名】全文
【訂正方法】変更
【訂正の内容】
【特許請求の範囲】
【請求項１】
式Ｉ
（Ｍ）（Ｍｇ１−ｚ，Ａｌｚ）（Ｓｉ２−ｚ，Ｔｚ）Ｏ６：Ａ，Ｂ，Ｃ      Ｉ
式中、
Ｍは、Ｃａ、ＳｒまたはＢａから選択された少なくとも１種のアルカリ土類元素を示し、
Ｔは、Ａｌ、Ｇａ、ＩｎまたはＳｃから選択された少なくとも１種の３価の元素を示し、
ＡおよびＢは、互いに異なって、Ｐｂ２＋、Ｍｎ２＋、Ｙｂ２＋、Ｓｍ２＋、Ｅｕ２＋、Ｄｙ２＋またはＨｏ２＋から選択された２価の元素を示し、ならびに
Ｃは、Ｙ３＋、Ｌａ３＋、Ｃｅ３＋、Ｐｒ３＋、Ｎｄ３＋、Ｐｍ３＋、Ｓｍ３＋、Ｅｕ３＋、Ｇｄ３＋、Ｔｂ３＋、Ｄｙ３＋、Ｈｏ３＋、Ｅｒ３＋、Ｔｍ３＋、Ｙｂ３＋、Ｌｕ３＋またはＢｉ３＋から選択された３価の元素を示し、ただしＡ、ＢまたはＣから選択された少なくとも２種の元素が、存在しなければならず、ならびに
０＜ｚ＜０．７５である、
で表される化合物。
【請求項２】
式Ｉで表される化合物が式Ｉａ
（Ｍ１−ｘ−ｕ−ｐ，）（Ｍｇ１−ｚ−ｖ−ｑ，Ａｌｚ−ｍ）（Ｓｉ２−ｚ，Ｔｚ−ｎ）Ｏ６：Ａｘ，Ｂｙ，Ｃｗ      Ｉａ
式中、Ｍ、Ｔ、Ａ、ＢおよびＣは、式Ｉにおいて上に述べたのと同一の意味を有し、
ｍ＋ｎ＋ｑ＋ｐ＝ｗ、それによってｍ≧０、ｎ≧０、ｐ≧０およびｑ≧０であり、
ｕ＋ｖ＝ｙ、それによってｖ≧０、ｕ≧０であり、
０≦ｗ＜０．３であり、
０≦ｘ＜０．５であり、
０≦ｙ＜０．５、それによって指数ｗ、ｘおよびｙの少なくとも２つは０より大きくなければならず、ならびに
０＜ｚ＜０．５である、
から選択される、請求項１に記載の化合物。
【請求項３】
ＴがＡｌを示す、請求項１または２に記載の化合物。
【請求項４】
ｗ＝０である、請求項２または３に記載の化合物。
【請求項５】
ＡがＥｕ２＋を示す、請求項１〜４のいずれか一項に記載の化合物。
【請求項６】
ＢがＭｎ２＋を示す、請求項１〜５のいずれか一項に記載の化合物。
【請求項７】
式Ｉａ−１〜Ｉａ−７
【化１】
2016520673.tif 000001
式中、
０＜ｒ＜１；０＜ｓ＜１；０＜ｔ＜１であり；それによってｒ＋ｓ＋ｔ＝１であり、
ｕ＋ｖ＝ｙであり、それによってｖ≧０およびｕ≧０であり、それによって指数ｕおよびｖの少なくとも１つは０より大きくなければならず、
０．１＜ｘ＜０．３であり、
０．１＜ｙ＜０．２であり、ならびに
０．０７５＜ｚ＜０．３である、
で表される化合物の群から選択される、請求項１〜６のいずれか一項に記載の化合物。
【請求項８】
請求項１〜７のいずれか一項に記載の化合物の製造方法であって、以下のプロセスステップ：
ａ）ケイ素含有剤、少なくともＭｇ、Ａｌ、Ｍの元素を含む塩の混合物およびＡ、ＢまたはＣから選択された少なくとも２種の元素を含む１種または２種以上の塩を、溶媒中で所定のモル比にて混合すること；
ｂ）沈殿剤を加えること；
ｃ）一次熱処理を混合物に対して８００〜１３００℃の温度範囲内で酸化的雰囲気下で行うこと；ならびに
ｄ）二次熱処理を混合物に対して８００〜１３００℃の温度範囲内で還元的雰囲気下で行うこと
を含む、前記方法。
【請求項９】
ステップａ）における塩を硝酸塩、ハロゲン化物、硫酸水素塩または炭酸塩の群から選択する、請求項８に記載の方法。
【請求項１０】
ステップｂ）における沈殿剤を炭酸水素ナトリウム、塩化アンモニウムまたは炭酸水素アンモニウムから選択する、請求項８または９に記載の方法。
【請求項１１】
ステップａ）におけるケイ素含有剤がＳｉＯ２またはＳｉＯ２の前駆体であることを特徴とする、請求項８〜１０のいずれか一項に記載の方法。
【請求項１２】
少なくとも１種の請求項１〜７のいずれか一項に記載の化合物を含む、蛍光体混合物。
【請求項１３】
照明ユニットであって、２８０ｎｍ〜４００ｎｍの範囲内において発光極大を有する少なくとも１つの光源を有し、この放射線の全部またはいくらかがより長い波長の放射線に、請求項１〜７のいずれか一項に記載の化合物または請求項１２に記載の蛍光体混合物によって変換される、前記照明ユニット。
【請求項１４】
光源が発光窒化インジウムアルミニウムガリウムである、請求項１３に記載の照明ユニット。
【請求項１５】
少なくとも１種の請求項１〜７のいずれか一項に記載の化合物の、ＵＶまたは近ＵＶ発光の全部またはいくらかの変換のための変換蛍光体としての使用。
【請求項１６】
少なくとも１種の請求項１〜７のいずれか一項に記載の化合物の、太陽電池のための波長変換材料としての使用。
【誤訳訂正２】
【訂正対象書類名】明細書
【訂正対象項目名】００４５
【訂正方法】変更
【訂正の内容】
【００４５】
本出願の文脈において、用語「湿潤化学的プロセス」は、好ましくは以下のステップを含む：
ａ）ケイ素含有剤、少なくともＭｇ、Ａｌ、Ｍの元素を含む塩の混合物およびＡ、ＢまたはＣから選択された少なくとも２種の元素を含む１種または２種以上の塩を、溶媒中で所定のモル比にて混合すること；
ｂ）沈殿剤を加えること；
ｃ）一次熱処理を混合物に対して、好ましくは８００〜１３００℃の温度範囲内で酸化的雰囲気下で行うこと；ならびに
ｄ）二次熱処理を混合物に対して、好ましくは８００〜１３００℃の温度範囲内で還元的雰囲気下で行うこと。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
ブタジエンを含む脂肪族モノマーの重合の制御及び禁止のための、並びにブタジエンを含む脂肪族モノマーの二量化の制御及び禁止のための添加剤組成物であって、前記組成物は、
Ａ）以下を含む群から選択される１種又は複数の第１の成分Ａ
ａ）キノンメチド（ＱＭ）、
ｂ）キノンメチドのエステル誘導体を含むキノンメチド（ＱＭ）誘導体、
ｃ）ニトロキシド化合物、及び
ｄ）これらの混合物、
及び
Ｂ）以下を含む群から選択される１種又は複数の第２の成分Ｂ
ｉ）オキシド処理された第３級アミン、
ｉｉ）ヒドロキシルアルキル第３級アミン、
ｉｉｉ）ポリエーテルアミン、
ｉｖ）ポリアミン、及び
ｖ）これらの混合物、
からなる、添加剤組成物。
【請求項２】
オキシド処理された第３級アミンが、Ｎ，Ｎ，Ｎ’，Ｎ’−テトラキス（２−ヒドロキシプロピル）エチレン−ジアミン（Ｑｕａｄｒｏｌ（登録商標））を含む、請求項１に記載の添加剤組成物。
【請求項３】
ヒドロキシルアルキル第３級アミンが、トリス（２−ヒドロキシプロピル）アミン（ＴＩＰＡ）を含む、請求項１又は２に記載の添加剤組成物。
【請求項４】
ニトロキシド化合物が、１−オキシル−２，２，６，６−テトラメチルピペリジン−４−オール（４ＨＴ）を含む、請求項１から３のいずれか一項に記載の添加剤組成物。
【請求項５】
ａ）４０から９９．７５重量％の、該１種又は複数の第１の成分Ａ；及び
ｂ）０．２５から６０重量％の、該１種又は複数の第２の成分Ｂ；
を含む、請求項１から４のいずれか一項に記載の添加剤組成物。
【請求項６】
ブタジエンを含む脂肪族モノマーの重合の制御及び禁止のための、並びにブタジエンを含む脂肪族モノマーの二量化の制御及び禁止のための、請求項１〜５のいずれか一項に記載の添加剤組成物を使用する方法であって、ブタジエンを含む脂肪族モノマーの流れに、
Ａ）以下を含む群から選択される１種又は複数の第１の成分Ａ
ａ）キノンメチド（ＱＭ）、
ｂ）キノンメチドのエステル誘導体を含むキノンメチド（ＱＭ）誘導体、
ｃ）ニトロキシド化合物、及び
ｄ）これらの混合物、
及び、
Ｂ）以下を含む群から選択される１種又は複数の第２の成分Ｂ
ｉ）オキシド処理された第３級アミン、
ｉｉ）ヒドロキシルアルキル第３級アミン、
ｉｉｉ）ポリエーテルアミン、
ｉｖ）ポリアミン、及び
ｖ）これらの混合物、
からなる添加剤組成物、が添加される、方法。
【請求項７】
ブタジエンを含む脂肪族モノマーの重合の制御及び禁止のための、並びにブタジエンを含む脂肪族モノマーの二量化の制御及び禁止のための方法であって、該モノマーの流れを、請求項１〜５のいずれか一項に記載の添加剤組成物で処理し、前記組成物が、
Ａ）以下を含む群から選択される１種又は複数の第１の成分Ａ
ａ）キノンメチド（ＱＭ）、
ｂ）キノンメチドのエステル誘導体を含むキノンメチド（ＱＭ）誘導体、
ｃ）ニトロキシド化合物、及び
ｄ）これらの混合物、
及び、
Ｂ）以下を含む群から選択される１種又は複数の第２の成分Ｂ
ｉ）オキシド処理された第３級アミン、
ｉｉ）ヒドロキシルアルキル第３級アミン、
ｉｉｉ）ポリエーテルアミン、
ｉｖ）ポリアミン、及び
ｖ）これらの混合物、
からなる、方法。
【請求項８】
ブタジエンを含む脂肪族モノマーの流れに添加される組成物の量が、流れの重量に対して、０．０１ｐｐｍから２０００ｐｐｍ、又は１ｐｐｍから２０００ｐｐｍの変動の量を含む、請求項６又は７に記載の方法。
【請求項９】
成分Ａ及び成分Ｂが、個々に又は混合後に流れに添加される、請求項６又は７に記載の方法。
【請求項１０】
流れが芳香族モノマーを含まない、請求項６又は７に記載の方法。
【請求項１１】
重合の温度が、５０℃から１８０℃、又は６０℃から１８０℃で変動する温度を含む、請求項６又は７に記載の方法。
【請求項１２】
ブタジエンを含む脂肪族モノマーの重合の制御及び禁止のための、並びにブタジエンを含む脂肪族モノマーの二量化の制御及び禁止のための、請求項１から５のいずれか一項に記載の添加剤組成物の製造方法であって、前記方法は、
Ａ）以下を含む群から選択される１種又は複数の第１の成分Ａ
ａ）キノンメチド（ＱＭ）、
ｂ）キノンメチドのエステル誘導体を含むキノンメチド（ＱＭ）誘導体、
ｃ）ニトロキシド化合物、及び
ｄ）これらの混合物、
を、
Ｂ）以下を含む群から選択される１種又は複数の第２の成分Ｂ
ｉ）オキシド処理された第３級アミン、
ｉｉ）ヒドロキシルアルキル第３級アミン、
ｉｉｉ）ポリエーテルアミン、
ｉｖ）ポリアミン、及び
ｖ）これらの混合物、
と混合するステップを含む、方法。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
ａ）
少なくとも１種のフリーラジカル重合性化合物と、
以下の式によって表されるベータ−ジカルボニル化合物
【化１】
2016520672.tif 000001
（式中、
Ｒ１及びＲ２が、独立して、１〜１８個の炭素原子を有するヒドロカルビル又は置換ヒドロカルビル基を表し、
Ｒ３が、水素、又は１〜１８個の炭素原子を有するヒドロカルビルは若しく置換ヒドロカルビル基を表し、
各Ｘが、独立して、Ｏ、Ｓ、
【化２】
2016520672.tif 000002
を表し、
式中、各Ｒ４が、独立して、Ｈ若しくは１〜１８個の炭素原子を有するアルキルを表す、又はＲ１、Ｒ２、Ｒ３、若しくはＲ４のうちの任意の２つを一緒にして環を形成している）又はその塩と、を含む硬化性組成物を提供する工程、及び
ｂ）前記硬化性組成物を少なくとも１種の銅の酸化物と接触させて、これによって前記硬化性組成物の少なくとも部分的な硬化を引き起こす工程、を含む、方法。
【請求項２】
表面を有する第１の基材を提供する工程であって、前記第１の基材の前記表面の少なくとも一部が、少なくとも１種の銅の酸化物を含む工程、及び
硬化性組成物を前記少なくとも１種の銅の酸化物と接触させて、これによって、前記硬化性組成物が少なくとも部分的に硬化する工程であって、前記硬化性組成物が、
少なくとも１種のフリーラジカル重合性化合物と、
以下の式によって表されるベータ−ジカルボニル化合物
【化３】
2016520672.tif 000003
（式中、
Ｒ１及びＲ２が、独立して、１〜１８個の炭素原子を有するヒドロカルビル又は置換ヒドロカルビル基を表し、
Ｒ３が、水素、又は１〜１８個の炭素原子を有するヒドロカルビル若しくは置換ヒドロカルビル基を表し、
各Ｘが、独立して、Ｏ、Ｓ、
【化４】
2016520672.tif 000004
を表し、
式中、各Ｒ４は、独立して、Ｈ若しくは１〜１８個の炭素原子を有するアルキルを表す、又はＲ１、Ｒ２、Ｒ３、若しくはＲ４のうちの任意の２つを一緒にして環を形成している）又はその塩とを含む工程、を含む、物品の製造方法。
【請求項３】
表面を有する第１の基材であって、前記第１の基材の前記表面の少なくとも一部が、少なくとも１種の銅の酸化物を含む、第１の基材、及び
少なくとも１種の銅の酸化物と、
少なくとも１種のフリーラジカル重合性化合物と、
以下の式によって表されるベータ−ジカルボニル化合物
【化５】
2016520672.tif 000005
（式中、
Ｒ１及びＲ２が、独立して、１〜１８個の炭素原子を有するヒドロカルビル又は置換ヒドロカルビル基を表し、
Ｒ３が、水素、又は１〜１８個の炭素原子を有するヒドロカルビル若しくは置換ヒドロカルビル基を表し、
各Ｘが、独立して、Ｏ、Ｓ、
【化６】
2016520672.tif 000006
を表し、
式中、各Ｒ４が、独立して、Ｈ若しくは１〜１８個の炭素原子を有するアルキルを表す、又はＲ１、Ｒ２、Ｒ３、若しくはＲ４のうちの任意の２つを一緒にして環を形成している）又はその塩とを含む成分の反応生成物、を含む物品。
【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
軟骨破壊を防止又は治療するための組成物であって、ルチンを含む組成物。
【請求項２】
クルクミンをさらに含む、請求項１に記載の組成物。
【請求項３】
オレウロペイン及び／又はヒドロキシチロソールをさらに含む、請求項１又は２に記載の組成物。
【請求項４】
抗酸化剤、抗炎症化合物、グリコサミノグリカン、プレバイオティクス、繊維、プロバイオティクス、脂肪酸、ミネラル、微量元素、及び／又はビタミンからなる群から選択される少なくとも１種の化合物をさらに含む、請求項１〜３のいずれか一項に記載の組成物。
【請求項５】
少なくとも１種の抗炎症化合物を含み、少なくとも１種の抗炎症化合物は植物抽出物である、請求項４に記載の組成物。
【請求項６】
植物抽出物は、デビルズクロー（ハルパゴフィツム・プロクムベンス（Ｈａｒｐａｇｏｐｈｙｔｕｍ  ｐｒｏｃｕｍｂｅｎｓ））、ロスマリヌス・オフィキナリス（Ｒｏｓｍａｒｉｎｕｓ  ｏｆｆｉｃｉｎａｌｉｓ）、ヒソップ、ショウガ（ジンギベル・オフィキナレ（Ｚｉｎｇｉｂｅｒ  ｏｆｆｉｃｉｎａｌｅ））、ウコン（クルクマ・ロンガ（Ｃｕｒｃｕｍａ  ｌｏｎｇａ））、アルニカモンタナ（Ａｒｎｉｃａ  ｍｏｎｔａｎａ）、ヤナギの樹皮、ザクロ（プニカ・グラナトゥム（Ｐｕｎｉｃａ  ｇｒａｎａｔｕｍ））、緑茶（カメリア・シネンシス（Ｃａｍｅｌｌｉａ  ｓｉｎｅｎｓｉｓ））、パイナップルブロメライン（アナナス・コモスス（Ａｎａｎａｓ  ｃｏｍｏｓｕｓ））、セイヨウオトギリソウ、ヒペルフォリン、ゴールデンシール、及びジャーマンカモミール（マトリカリア・レクティタ（Ｍａｔｒｉｃａｒｉａ  ｒｅｃｕｔｉｔａ））からなる群から選択される１種又は複数種の植物に由来する、請求項５に記載の組成物。
【請求項７】
少なくとも１種の抗酸化剤を含み、少なくとも１種の抗酸化剤は、アスタキサンチン、カロテノイド、コエンザイムＱ１０（「ＣｏＱ１０」）、フラボノイド、グルタチオン、ゴジ（クコ）、ヘスペリジン、ラクトウルフベリー、リグナン、ルテイン、リコピン、ポリフェノール、セレン、ビタミンＡ、ビタミンＣ、ビタミンＥ、及びゼアキサンチンからなる群から選択される、請求項４〜６のいずれか一項に記載の組成物。
【請求項８】
栄養組成物又は医薬組成物である、請求項１〜７のいずれか一項に記載の組成物。
【請求項９】
栄養組成物であり、該栄養組成物はメディカルフードである、請求項８に記載の組成物。
【請求項１０】
変形性関節症における軟骨破壊を抑制又は減少させるための組成物である、請求項１〜９のいずれか一項に記載の組成物。
【請求項１１】
軟骨細胞の肥大化を抑制するための組成物であり、ルチン及びクルクミンを含む、請求項１〜１０のいずれか一項に記載の組成物。
【請求項１２】
個体の活動性及び／又は可動性を維持又は改善するための組成物である、請求項１〜１１のいずれか一項に記載の組成物。
【請求項１３】
関節痛を減少させるための組成物である、請求項１〜１２のいずれか一項に記載の組成物。
【請求項１４】
軟骨破壊を防止又は治療するための栄養組成物を製造する方法であって、栄養組成物用の１種又は複数種の成分、ルチン、及び任意選択でさらにクルクミンを用意するステップと、それらを混合するステップと、を含む方法。
【請求項１５】
コラーゲン分解を減少させるための剤であって、ルチンを有効成分として含有する剤。
【請求項１６】
変形性関節症スコアを減少させるための剤であって、ルチンを有効成分として含有する剤。
【請求項１７】
クルクミンを有効成分としてさらに含有する、請求項１５又は１６に記載の剤。
【手続補正書】
【提出日】平成29年6月6日(2017.6.6)
【手続補正１】
【補正対象書類名】特許請求の範囲
【補正対象項目名】請求項２２
【補正方法】変更
【補正の内容】
【請求項２２】
自己免疫性障害、慢性炎症性障害、急性炎症性障害、自己炎症性障害、アテローム性動脈硬化症、糖尿病、繊維症、代謝疾患、がん及び腫瘍から成る群から選択される状態を治療するための請求項２０又は２１に記載の医薬組成物。
【手続補正２】
【補正対象書類名】特許請求の範囲
【補正対象項目名】請求項２３
【補正方法】変更
【補正の内容】
【請求項２３】
イヌ及びヒトから選択される哺乳動物用である、請求項２２に記載の医薬組成物。
【手続補正３】
【補正対象書類名】特許請求の範囲
【補正対象項目名】請求項２４
【補正方法】変更
【補正の内容】
【請求項２４】
前記がんがリンパ腫である、請求項２３に記載の医薬組成物。
【手続補正４】
【補正対象書類名】特許請求の範囲
【補正対象項目名】請求項２５
【補正方法】変更
【補正の内容】
【請求項２５】
ヒト用であり、前記状態が慢性炎症性障害である、請求項２３に記載の医薬組成物。
【手続補正５】
【補正対象書類名】特許請求の範囲
【補正対象項目名】請求項２６
【補正方法】変更
【補正の内容】
【請求項２６】
前記慢性炎症性障害が、関節リウマチである、請求項２５に記載の医薬組成物。
【手続補正６】
【補正対象書類名】明細書
【補正対象項目名】００５３
【補正方法】変更
【補正の内容】
【００５３】
「薬剤的に許容可能な塩」という語句は、所望する薬理学的な活性を強化し得る塩を指す。薬剤的に許容可能な塩の例としては、無機又は有機酸と形成した酸付加塩、金属塩、及びアミン塩が挙げられる。無機酸と形成した酸付加塩の例としては、塩酸、臭化水素酸、硫酸、硝酸及びリン酸との塩が挙げられる。酢酸、プロピオン酸、ヘキサン酸、ヘプタン酸、シクロペンタンプロピオン酸、グリコール酸、ピルビン酸、乳酸、マロン酸、コハク酸、リンゴ酸、マレイン酸、フマル酸、酒石酸、クエン酸、安息香酸、ｏ−（４−ヒドロキシ−ベンゾイル）−安息香酸、桂皮酸、マンデル酸、メタンスルホン酸、エタンスルホン酸、１、２−エタンスルホン酸、２−ヒドロキシエタン−スルホン酸、ベンゼンスルホン酸、ｐ−クロロベンゼンスルホン酸、２−ナフタリンスルホン酸、ｐ−トルエンスルホン酸、カンファースルホン酸、４−メチル−ビシクロ［２．２．２］オクタ−２−エン１−カルボン酸、グルコ−ヘプトン酸、４、４’−メチレンビス（３−ヒドロキシ−２−ナフトエ）酸、３−フェニルプロピオン酸、トリメチル−酢酸、三級ブチル酢酸、ラウリル硫酸、グルコン酸、グルタミン酸、ヒドロキシ−ナフトエ酸、サリチル酸、ステアリン酸及びムコン酸と形成した塩を含む有機酸と形成した酸付加塩の例。金属塩の例としては、ナトリウム、カリウム、カルシウム、マグネシウム、アルミニウム、鉄及び亜鉛イオンとの塩が挙げられる。アミン塩の例としては、アンモニア及びカルボン酸と塩を形成するのに十分強力な有機窒素性塩基との塩が挙げられる。
【手続補正７】
【補正対象書類名】明細書
【補正対象項目名】０１１１
【補正方法】変更
【補正の内容】
【０１１１】
本発明の化合物の調製のための代表的な手順がスキーム１及び２で説明される。置換ピリジン出発材料は購入し得、又は、中間体として提供される代表的な手順と一緒に当該技術分野で公知の方法を用いて調製され得る。スキーム１は完全に合成された１，４’−ビピリジン−２−オンの合成に焦点を当てる。ピリジノン１ｃの合成は、ジオキサンといった溶媒中でアセタール１ａ及びピリジン１ｂを反応させることで達成され得る。１ｃのフェノールの所望するヘテロアリール置換基（Ｒ３）とのアルキル化によって、アルキル化１ｄを得る。ピリジノン１ｄはＲ２及びＸ置換基次第で、３つの経路のうち１つを介して表題化合物へ転化され得る。例えば、Ｒ２がメチルの場合、パラジウム触媒の存在下での１ｄのビニルスズ試薬との反応によってメチルケトン１ｉが提供される。イソプロパノールといった溶媒中でＮ−クロロサクシニミド（又は対応するブロモが所望される場合はＮ−ブロモスクシンイミド）を用いる１ｉのハロゲン化によって、１ｊが提供される。１ｊのＮ，Ｎ−ジメチルホルムアミドジメチルアセタールとの反応によるin situエナミン形成によって、中間体が提供され、当該中間体は次いで、ＤＭＦといった溶媒中で２−ヒドロキシ−２−メチルプロピオンアミジンと反応させ、ピリジノン１ｇを得る。又は、ＸがＮである場合、そのハライドをエタノール中のパラジウム触媒の存在下で一酸化炭素と処理することで、１ｄはカルボキシル化され得、エステル１ｅを得る。水中水酸化リチウムでの１ｅのエステルを加水分解し、続いて、中間体カルボン酸をＣＤＩで処理、次にワインレブ条件化でメトキシメチルアミン及びジイソプロピルエチルアミンといったアミン塩基で処理し、１ｈを得る。ＴＨＦといった溶媒中でのワインレブアミド１ｈの所望するＲ２グリナード（Ｇｒｉｇｎａｒｄ）試薬との反応により、１ｉが提供される。ケトン１ｉは次いで１ｊに転化され、次いで、上記の通り、最終化合物１ｇに転化される。ピリジン又はピリミジンＤ環を準備する別の選択肢は、適切なパラジウム触媒を用いるスズキ条件下で１ｄを所望するボロン酸で反応させ、結合中間体を得ることであり、当該結合中間体は、次いで、ＮＣＳ又はＮＢＳを用いてハロゲン化され、１ｆが提供される。ＴＨＦといった溶媒中で臭化メチルマグネシウムを１ｆに添加することで、表題化合物１ｇが提供される。
スキーム１：